(57)【要約】【課題】雨傘の濡れの程度や傘の種類が様々であることに鑑み、雨傘を取出さなくても所望の雨傘の除水処理を行うことができる雨傘除水装置を提供することを目的とするものである。【解決手段】本発明は雨傘の出し入れにより伸縮し内周囲に多数の水滴案内溝を有する傘受け筒状体１と、該傘受け筒状体１を収納し吸引ダクト６に連通した除水筒状体２とを備え、前記傘受け筒状体１は傘の除水処理後に最初の位置に収縮復元される。【選択図】　　　　図１
2004012098.tif 000002
【特許請求の範囲】
【請求項１】
雨傘の出し入れにより伸縮し内周囲に多数の水滴案内溝を有する傘受け筒状体と、該傘受け筒状体を収納し吸引ダクトに連通した除水筒状体とを備え、前記傘受け筒状体は傘の除水処理後に最初の位置に収縮復元されることを特徴とする雨傘除水装置。
【請求項２】
前記傘受け筒状体をガイド棒で案内すると共にばねで懸架して伸縮させ、除水処理を時間で制御することを特徴とする請求項１に記載の雨傘除水装置。
【請求項３】
前記傘受け筒状体の上部にエアカーテンを設けたことを特徴とする請求項１または請求項２に記載の雨傘除水装置。
【請求項４】
前記吸引ダクトに設けたモータの排気口に連通する排気ダクトを前記傘受け筒状体の上部に連通して除水処理用の循環流を形成したことを特徴とする請求項１から請求項３のいずれか１項に記載の雨傘除水装置。
【請求項５】
雨傘の布地の種類に応じた表示パネルを設け、その布地選択ボタンにより除水処理時間を選択できることを特徴とする請求項１から請求項４のいずれか１項に記載の雨傘除水装置。
【請求項６】
前記排気ダクト内にヒータを設けて温風を前記傘受け筒状体の上部に導くことを特徴とする請求項５に記載の雨傘除水装置。
【発明の詳細な説明】
【０００１】
【産業上の利用分野】
本発明は雨に濡れた傘の水滴を除去するための雨傘除水装置に関し、特に伸縮自在な傘受け筒状体を設けて傘の出し入れを容易にした雨傘除水装置に係るものである。
【０００２】
【従来の技術】
雨傘除水装置には、特開平１１−２０１６３８号公報に記載されているような傘を入口扉に挿入し出口扉から取出す、同時に多数本の傘を除水処理できるものや、特開平６−９０８１１号公報に記載されているような開いている雨傘を処理するものから、特開平６−１９４０４０号公報に記載されているような閉じている雨傘を除水処理するもの等いろいろな構造の雨傘除水装置がある。しかし雨傘を除水処理するといっても濡れの程度が様々であり、雨傘の取出しのタイミングを間違えると再度同じ動作を繰返すわずらわしさを伴い、また除水が未処理のまま持ち運ぶ間違いを犯しやすく、それらの改善を要求されているのが現状である。また雨傘をどの程度に除水処理すればよいのかは、雨傘除水装置の設置場所によっても異なる。このような要求に答えられる雨傘の所望の除水処理ができる簡単な構造の雨傘除水装置が要望されている。
【０００３】
【発明が解決しようとする課題】
そこで本発明は、雨傘の濡れの程度や傘の種類が様々であることに鑑み、雨傘を取出さなくても所望の雨傘の除水処理ができる簡単な構造の雨傘除水装置を提供することを目的とするものである。
【０００４】
【課題を解決するための手段】
本発明に係る雨傘除水装置は、雨傘の出し入れにより伸縮し内周囲に多数の水滴案内溝を有する傘受け筒状体と、該傘受け筒状体を収納し吸引ダクトに連通した除水筒状体とを備え、前記傘受け筒状体は傘の除水処理後に最初の位置に収縮復元される構成を特徴とする。
【０００５】
【作用】
従って、本発明に係る雨傘除水装置は、雨傘の出し入れにより伸縮する傘受け筒状体と、除水筒状体との簡単な二重筒構造にすることにより、傘受け筒状体を傘の除水処理後に最初の位置に収縮復元ができ、所望の除水処理を行った後の傘の取出しを容易に行うことができると共に、雨傘の挿入初期は除水筒状体と吸引ダクトとが実質的に連通し、雨傘の挿入後期は傘受け筒状体と吸引ダクトとが実質的に連通した状態となり、挿入初期には雨傘に負圧を除水筒状体の内部全体に与え、挿入後期には雨傘に負圧を傘受け筒状体に与えるようにして除水効果を高め、且つ雨傘の様々な濡れの程度や傘の種類に応じて雨傘の除水処理の運転時間を選択して、雨傘の取出しのタイミングを間違えることなく雨傘の除水処理が確実にできる。
【０００６】
【発明の実施の形態】
以下に本発明の実施の形態を図面に基づいて説明する。
図１は本発明に係る雨傘除水装置の部分断面図を示し、雨傘を挿入する前のスタンバイの状態を示す。本発明に係る雨傘除水装置は、雨傘の出し入れにより伸縮する傘受け筒状体１と、傘受け筒状体１を内部に収納する外側のケースである除水筒状体２とを備え、除水筒状体２の上部に傘受け筒状体１の上端部を固定し、傘受け筒状体１の下端部をガイド棒３により案内して傘受け筒状体１の伸縮を確実にできるようにしている。また、このガイド棒３にばね４を巻き、雨傘が挿入されない状態では傘受け筒状体１をばね４により上部に収縮された状態で雨傘が挿入される状態で待機する。
【０００７】
除水筒状体２の下部には排水タンク５が雨傘除水装置のスタンドとして固定されており、除水筒状体２の低部中央部は排水タンク５の中央にダクト部６と水分離用ブロアモータ７の装着部とを形成している。また、傘受け筒状体１は図示しないが各々の筒体内面に雨傘の水滴が下部に流れ落ちるように縦溝が形成されており、更に筒体内面に雨傘が密着しないように下方に傾斜した横溝を形成して縦溝と横溝で多数の内向き突起状の内面を構成している。従って最上端の筒体内面の水滴はその下の筒体の外面に導かれ、この下の筒体の内面の水滴は更にその下の筒体の外面に導かれ、順次これを繰返して水滴は除水筒状体２の内部負圧により水分離用ブロアモータ７を介して排水タンク５に集められる。
【０００８】
除水筒状体２の上部には傘受け筒状体１の雨傘挿入開口を閉成するようにエアカーテンを形成するファンモータ１１が設けられており除水筒状体２内を負圧に維持できる。例えば、雨天時のデパート等のような常時使う場所に雨傘除水装置を設置した場合には、雨傘を挿入する前のスタンバイの状態でファンモータ１１を駆動しておくこともできる。またファンモータ１１の設置上部に雨傘の布地の種類に応じた操作パネル１２が設けられており、この操作パネル１２は図２に示す回路ブロックを内蔵している。操作パネル１２の上面には図３に示すように、３つのボタン、即ちポリエステル／ナイロン系のボタン、混紡系のボタン、そして綿・絹地系のボタンを設けている。
【０００９】
図４には雨傘を完全に挿入した雨傘除水装置の要部断面図を示す。雨傘除水装置の使い始めに先ず電源スイッチを入れる。この状態で図３の電源ランプが点灯している。雨傘は図１のスタンバイ状態で雨傘除水装置の上部から傘受け筒状体１の雨傘挿入開口内部に挿入されそのまま下方に押し下げられ、傘受け筒状体の下端筒状体８でばね３が伸ばされる。また傘受け筒状体１の下端筒状体８により傘収容感知センサ９が感知し、図２に示す回路ブロック図のマイコン１０を介して水分離用ブロアモータ７が始動され、ダクト部６内部の負圧により傘受け筒状体１が図４の状態に維持される。水分離用ブロアモータ７が駆動されている間は傘受け筒状体１をこの状態に保つことができるが、傘受け筒状体１をダクト内部の負圧だけによらないで機械的または磁気的にロックすることができ、傘受け筒状体１の下端筒状体８を係止片や磁石（ソレノイド等）等によりロックすることができる。また下端筒状体８の底部には開口した傘の先端装着部や格子状の開口が形成されている。
【００１０】
傘受け筒状体１が図４の状態に維持される時間は、ポリエステル／ナイロン系のボタン、混紡系のボタン、または綿・絹地系のボタンの３つのボタンのいずれかが押されているかで異なり、例えばポリエステル／ナイロン系の布地であれば、ポリエステル／ナイロン系の選択ボタンを押し、５秒から６秒になると、水分離用ブロアモータ７の電源が切れて除水筒状体２の内部の負圧状態が解除され、傘受け筒状体１はばね４によって元の状態に収縮復元される。他の選択ボタンは綿の混紡系であれば、例えば８秒から１０秒、綿・絹地系であれば１３秒から１５秒と使い分ける。また除水筒状体２の維持が機械的または磁気的にロックされている場合は係止片や磁気ロックを解除して傘受け筒状体１をばね４によって元の状態に復元させる。
【００１１】
図５は水分離用ブロアモータ７の排気口１３に連通するモータ排気ダクト１４を設けた雨傘除水装置の他の実施例を示し、モータ排気ダクト１４はその途中にヒータ１５を介在させて除水効果を向上するために下端を水分離用ブロアモータ７の排気口１３に接続し、上端を傘受け筒状体１の上部に接続して矢印で示す排気流の循環流を形成する。この循環流は水分離用ブロアモータ７にどのような種類のモータを用いるかによってその対応が異なる。所謂バイパスタイプの整流子ブロアモータでは機外より外気を吸気し、モータ内部を冷却した後、モータの排気口より排気する自冷ファンであり、排気口１３より排出された空気は、ブラシ、回転子、固定子等の所謂モータ発熱部を通過して暖気されており、除水効果が向上される。また、モータ排気中には、ブラシ粉や塵埃等が含まれているが、重力作用やダクトでダクト上方には届かないので、雨傘に塵埃等が吹き付けられる恐れはなく、ダクトは適宜取り外してメンテナンスされる。尚、ブロアモータとして一般に自冷ファンを持たないブラシレスモータを使用しても良く、この場合は、ブロアファンの吸気の一部を還流するようにする。
【００１２】
【発明の効果】
以上の説明から明らかな通り、本発明の構成によれば、雨傘の出し入れにより伸縮し内周囲に多数の水滴案内溝を有する傘受け筒状体と、該傘受け筒状体を収納し吸引ダクトに連通した除水筒状体とを備え、前記傘受け筒状体は傘の除水処理後に最初の位置に収縮復元される構成にすることより、雨傘の出し入れにより伸縮する傘受け筒状体と、除水筒状体との簡単な二重筒構造にすることができると共に、雨傘の濡れの程度や雨傘の種類に応じた雨傘の除水処理ができる雨傘除水装置を提供することができる。
【図面の簡単な説明】
【図１】雨傘を挿入する前のスタンバイの状態を示す本発明に係る雨傘除水装置の部分断面図である。
【図２】本発明に係る雨傘除水装置の回路ブロック図である。
【図３】本発明に係る雨傘除水装置の布地選択パネル図である。
【図４】雨傘を挿入した状態を示す本発明に係る雨傘除水装置の部分断面図である。
【図５】図４に対応する他の実施例を示す本発明に係る雨傘除水装置の部分断面図である。
【符号の説明】
１　傘受け筒状体
２　除水筒状体
３　ばねガイド棒
４　ばね
５　排水タンク
６　ダクト部
７　水分離用ブロアモータ
８　傘受け筒状体の下端筒状体
９　傘収容感知センサ
１０　マイコン
１１　ファンモータ
１２　操作パネル
１３　モータ排気口
１４　モータ排気ダクト
１５　ヒータ
【図１】
2004012098.tif 000003
【図２】
2004012098.tif 000004
【図３】
2004012098.tif 000005
【図４】
2004012098.tif 000006
【図５】
2004012098.tif 000007